(57)【要約】【課題】レトロフィットにおける施工を改善し、気密性を高めた換気装置を提供する。【解決手段】台形状を有するガイド部材（１２）は、筐体（１）の吹出口（５）に隣接する２つの側面に施工のガイドとして取り付けられる。ガイド部材（１）は膨出形状（１２ｃ）、小突起部（１４ｂ）、絞り形状のある突出部（１３）、アーチ形状（１５）を有し、それらの効果により、施工時におけるアダプター（３）と筐体（１）の組み立てを容易化して施工性を高め、併せてアダプター（３）と筐体（１）間の気密性を高めることができる。【選択図】図３
2019158325.tif 000002
【特許請求の範囲】
【請求項１】
底面に吸込口と一側面に吹出口と前記一側面に隣接する２つの隣接側面にガイド部材とを有する筐体と、
前記吸込口から前記吹出口に空気を導く送風部と、
前記筐体の天面側から前記底面側に向かってスライドすることにより前記ガイド部材にガイドされ前記一側面に対向して前記筐体に固定されるアダプターと、を備え、
前記アダプターは、
凹形状を有し前記ガイド部材によりガイドされるガイド部を備え、
前記ガイド部材は、
前記凹形状における凹みの内周壁に接触して前記アダプターをガイドする換気装置。
【請求項２】
前記ガイド部材は、
台形状の裏面と前記台形状の表面とを重ね合わせた角柱構造を有し、
前記裏面の長辺を前記隣接側面の前記アダプター側の端辺に一致させて配置された請求項１記載の換気装置。
【請求項３】
前記ガイド部材は、
前記裏面に３つ以上の突出部を備え、
前記隣接側面は、
前記突出部に対応する係合孔を備え、
前記係合孔は、
前記裏面の長辺が前記隣接側面の前記アダプター側の端辺に一致して配置可能であり、前記裏面の短辺が前記隣接側面の前記アダプター側の端辺に一致して配置不能である、請求項２に記載の換気装置。
【請求項４】
前記ガイド部材は、
３つ以上の前記突出部の配置間隔を非統一に構成され、
前記係合孔は、
前記突出部それに対応する位置に備えた請求項３記載の換気装置。
【請求項５】
前記ガイド部材は、
前記表面に前記台形状における両端部に比して中央部が前記表面から膨出する膨出形状を備えた請求項１から３のいずれかに記載の換気装置。
【請求項６】
前記突出部は、
前記裏面に接続し前記裏面から離れる方向に起立する支柱部と、
前記支柱部の先端に前記支柱部の径よりも大きな径を有する先端部と、
前記先端部の先端から前記支柱部方向に切り込み部と、を有する絞り形状を有し、
前記係合孔は、
径が前記支柱部の径と略一致する請求項３から５のいずれかに記載の換気装置。
【請求項７】
前記絞り形状は、
前記突出部のうち少なくとも１つの突出部に備えられ、
前記絞り形状を備えない突出部には、
前記裏面に接続し前記裏面から離れる方向に起立する支柱部と、
前記支柱部の先端近傍より当該支柱部の起立方向から垂直方向に伸びる小突起部を備え、
前記小突起部は、
前記係合孔を貫通した状態で係合孔の外周よりも外側に位置する請求項６に記載の換気装置。
【請求項８】
前記ガイド部材は、
前記裏面に前記台形状における両端部に比して中央部が前記裏面から前記表面側に凹んだアーチ形状を備えた請求項２から７のいずれかに記載の換気装置。
【請求項９】
前記突出部は、
前記裏面の前記アーチ形状における頂上部に配置された請求項８記載の換気装置。
【請求項１０】
前記突出部は、
前記裏面に接続し前記裏面から離れる方向に起立する支柱部と、
前記支柱部の先端近傍より当該支柱部の起立方向から垂直方向に伸びる小突起部を備え、
前記ガイド部材の長手方向における両端部に備えられた突出部の小突起は、
同一方向に起立し、
前記両端部の突出部に挟まれた少なくとも１つの突出部の小突起は、
前記同一方向に起立した小突起とは逆方向に起立した、請求項３から５のいずれかに記載の換気装置。
【請求項１１】
前記同一方向に起立した小突起は、
前記台形状の短辺よりも外周方向に突出し、
前記両端部の突出部に挟まれた少なくとも１つの突出部は、
前記支柱部の前記短辺側が前記裏面から先端方向に向かうにつれて前記短辺とは逆方向に傾斜する請求項１０記載の換気装置。
【発明の詳細な説明】
【技術分野】
【０００１】
本発明は、建物の天井等に設置される換気装置に関するものである。
【背景技術】
【０００２】
従来の換気装置として、天井裏への施工が容易にできるように、筐体とアダプターが分離した構造が知られている（例えば、特許文献１を参照）。
【０００３】
従来の換気装置について、図８を参照しながら説明する。
【０００４】
従来の換気装置は、建物の天井等に設置され、底面に開口部を有し、一側面に吹出口を有する筐体１０１内に下面の開口部から吹出口への気流を形成する送風機１０２を組み込んだものである。
【０００５】
換気装置の施工は、大きく分類して、換気装置を天井裏に設置した後に天板を取り付ける工法と、既存の天井に換気装置を取り付ける工法（レトロフィット）とがある。
【０００６】
レトロフィットでは、まず、アダプター１０３を天井裏に先付けする。続いて筐体１０１の天面側から底面側までを、先付けされたアダプター１０３に挿入する。これにより、天板に設けた小さい開口にて設置が可能である。レトロフィットは、既存の環境に追加して換気装置を導入できるため、様々な状況に対応可能である。
【先行技術文献】
【特許文献】
【０００７】
【特許文献１】特開２０１８−２１７３９号公報
【発明の概要】
【発明が解決しようとする課題】
【０００８】
しかしながら、レトロフィットでは天板が薄く弱い場合、施工が難しくなる。つまり、天板に先付けされたアダプター１０３は空気の通り道となるダクトが接続されるため、アダプター１０３にはダクトの荷重が掛かり、天板が薄く弱い場合、ダクト側に傾いた状態となる。そして、天板の小さい開口には、筐体１０１をダクトの傾きに合わせて挿入することはできないため、筐体１０１を傾いたアダプター１０３に正しく係合させることができない場合がある。
【０００９】
また、係合できた場合であっても、上述のようにレトロフィットではアダプター１０３と筐体１０１とは独立している。このため、アダプター１０３と筐体１０１との間には、ダクトの荷重に基づく隙間が発生し、気密性が損なわれてしまうという課題があった。
【００１０】
そこで本発明は、アダプター１０３と筐体１０１とが独立して構成された換気装置において、施工性を改善すると共に、気密性を高めた換気装置を提供することを目的とする。
【課題を解決するための手段】
【００１１】
本発明に係る換気装置は、底面に吸込口と一側面に吹出口と前記一側面に隣接する２つの隣接側面にガイド部材とを有する筐体と、前記吸込口から前記吹出口に空気を導く送風部と、前記筐体の天面側から前記底面側に向かってスライドすることにより前記ガイド部材にガイドされ前記一側面に対向して前記筐体に固定されるアダプターと、を備え、前記アダプターは、凹形状を有し前記ガイド部材によりガイドされるガイド部を備え、前記ガイド部材は、前記凹形状における凹みの内周壁に接触して前記アダプターをガイドする構成とすることにより、所期の目的を達成するものである。
【発明の効果】
【００１２】
本発明によれば、アダプターと筐体とが独立して構成された換気装置において、施工性を改善すると共に、気密性を高めることができる。
【図面の簡単な説明】
【００１３】
【図１】本発明に係る換気装置の分解斜視図。
【図２】換気装置の下面図。
【図３】実施の形態１に係るガイド部材の側面図。
【図４】ガイド部材の裏面斜視図。
【図５】ガイド部材が外された状態を示す筐体側面図。
【図６】ガイド部材が取り付けられた状態を示す筐体側面図。
【図７】実施の形態２に係るガイド部材の裏面斜視図。
【図８】従来の換気装置の構造を示した詳細図。
【発明を実施するための形態】
【００１４】
以下、添付図面を参照して本発明の実施の形態につき説明し、本発明の理解に供する。なお、以下の実施の形態は、本発明を具体化した一例であって、本発明の技術的範囲を限定するものではない。また、全図面を通して、同一の部位については同一の符号を付して二度目以降の説明を省略している。
【００１５】
（実施の形態１）
まず、図１及び図２を参照しながら、本実施の形態に係る換気装置３０の構成について説明する。なお図１は、本実施の形態に係る換気装置３０の分解斜視図、図２は、換気装置３０の下面図である。
【００１６】
図１及び図２に示すように、本発明に係る換気装置３０は、筐体１と、送風部２と、アダプター３とを備えている。
【００１７】
筐体１は、少なくとも一面が開口された箱型の形状であり、材料は金属または樹脂である。筐体１は、吸込口４と、吹出口５と、ガイド部材１２を備える。
【００１８】
吸込口４は、換気装置３０の下面を天井板の面に一致させて天井に設置した状態において、天井から地面方向、つまり鉛直下方に向いた面である。そしてこの面が、筐体１の開口に該当する。筐体１内部への吸気は図示しない二重格子構造の意匠パネルを介して行われる。
【００１９】
吹出口５は、吸込口４が設けられた底面に隣接しているいずれか１つの一側面に、開口として設けられる。
【００２０】
ガイド部材１２は、吹出口５が設けられた一側面に隣接する２つの隣接側面１ａの中央よりも上方、つまり天面側に設けられる。ガイド部材１２は、アダプター３を筐体１に固定するために利用されるが詳細は後述する。
【００２１】
吸込口４と吹出口５とは、筐体１の内部で連通されており、この連通された風路が排気風路６を構成する。
【００２２】
送風部２は、排気風路６中に配置され、吸込口４から吹出口５に空気を導く。送風部２は、ケーシング７と、モータ８と、ファン９とを備える。
【００２３】
ケーシング７は、送風部２の外郭を形成し、材質は樹脂である。ケーシング７は、略円筒形を有し、下面に位置する底面に空気を吸い込むための開口が、側面には空気を排出するための開口が備えられる。ケーシング７は、底面の開口が吸込口４と近接し、側面の開口が吹出口５と連結されている。ケーシング７は、略円筒形を有し底面に平行な断面が円形スクロール形状を有する。ケーシング７は、底面の開口にオリフィス１０を備える。
【００２４】
オリフィス１０は、円筒形を有し、中央部分が開口され、その開口を底面開口に接続された樹脂部品である。オリフィス１０は、送風部２の空気の流れ方向における上流に位置し、ケーシング７にネジ等の固定手段で取り付けられる。なお、オリフィス１０は、ケーシング７と一体構造としてもよい。
【００２５】
モータ８は、ケーシング７の内部空間における天面側に配置され、円形スクロール形状における中央部付近に、ネジ等の固定手段で取り付けられる。モータ８は、ケーシング７の天面から底面に向けて突出する回転軸を備えている。モータ８は、給電により回転軸を回転させる。モータ８への電力供給は、図示しない電装基板を介して行われる。
【００２６】
ファン９は、回転軸に固定された例えばシロッコファンである。ファン９は、モータ８が起動した際、回転軸が回転することで起動し、空気の移動が行われる。つまり、送風部２の駆動により、吸込口４から吹出口５に空気が導かれる。
【００２７】
電装基板は、筐体１内に設けられた電装基板ケース１１に格納され、ケーシング７の外郭に、図示しないネジ等の固定手段で取り付けられる。
【００２８】
電装基板ケース１１は、難燃樹脂製の電装基板ベース１１ａと、同じく難燃樹脂製の電装基板カバー１１ｂを備える。電装基板は電装基板ベース１１ａにネジ等の固定手段で取り付けられる。また、電装基板カバー１１ｂは電装基板ベース１１ａにネジ等の固定手段で取り付けられる。
【００２９】
アダプター３は、筐体１の一側面であって、吹出口５の下流側に設けられる。アダプター３は、アダプタープレート１９と、ダクト接続部２０とを備える。
【００３０】
アダプタープレート１９は、筐体１の一側面と略同一サイズの例えば樹脂製平面板として設けられる。アダプタープレート１９は、筐体１の吹出口５が設けられた一側面の下流側に設けられる。アダプタープレート１９は、両側面にガイド部３ａを備える。
【００３１】
ガイド部３ａは、図１における簡易上面図４０に示すように、例えばアダプタープレート１９の側面を二箇所折り曲げて構成される。ガイド部３ａは、アダプタープレート１９の平面の端部である両側辺から、隣接側面１ａの方向に、隣接側面１ａに対して平行に延設され、さらに延設先端から隣接側面１ａの方向に、隣接側面１ａに対して垂直に延設される。つまり、ガイド部３ａは、アダプター３の上面視（図１における上方から見た状態）において、凹形状４１を有する。ガイド部３ａは、隣接側面１ａに設けられたガイド部材１２を凹形状４１における凹みの内周壁に接触させて、上下方向にガイドすることで、筐体１がアダプター３にガイドされる。言い換えると、ガイド部３ａとガイド部材１２との摺動構造により、筐体１がアダプター３を上下方向にガイドする。
【００３２】
ダクト接続部２０は、アダプタープレート１９から下流側に向けて立設し、上流側は矩形であり下流側は円筒形状を有する。ダクト接続部２０は、内部空間を吹出口５と接続され、筐体１の内部から吹き出される排気を誘導する。ダクト接続部２０は、例えば屋内と屋外とを連通するダクトの屋内側端部が接続されることにより、換気装置３０の排気が屋外に排出可能となる。
【００３３】
続いて、図３、図４を参照しながら、ガイド部材１２の詳細構造について説明する。なお、図３は、ガイド部材１２の側面図、図４は、ガイド部材１２の裏面斜視図である。
【００３４】
ガイド部材１２は、弾力性を有する樹脂で一体形成されている。ガイド部材１２は、台形状の表面１２ａと台形状の裏面１２ｂとを重ね合わせた角柱形状を有する。つまり、上面視及び下面視にして台形状を有する。この台形状とは、少なくとも一対の対辺が平行な四辺形であるが、本実施の形態においては、厳密な四辺形である必要は無く、角部に一定の丸みを有していてもよい。ガイド部材１２は、表面１２ａに膨出形状１２ｃを、裏面１２ｂにアーチ形状１５を有する。またガイド部材１２は、裏面１２ｂに突出部１３を備える。
【００３５】
膨出形状１２ｃは、ガイド部材１２の角柱形状における長辺側からの側面視において、表面１２ａ側の両端部に比して中央部が表面１２ａから高さ１２ｄだけ裏面１２ｂとは逆方向に膨出した形状である。膨出形状１２ｃは、両端部から中央部にかけて漸次高さが増し、すなわち滑らかな山状となっている。
【００３６】
アーチ形状１５は、ガイド部材１２の角柱形状における長辺側からの側面視において、裏面１２ｂ側の両端部に比して中央部が裏面１２ｂから表面１２ａ側に高さ１５ａだけ凹んだ形状である。アーチ形状１５は、両端部から中央部にかけて漸次凹みが増し、すなわち滑らかな凹みとなっている。
【００３７】
突出部１３は、裏面１２ｂの長手方向に３個以上備えられる。本実施の形態では、突出部１３は３個、台形状における長手方向に、端部（図３における左側端部）から順に突出部１３ａ、突出部１３ｂ、突出部１３ｃが設けられる。突出部１３は、隣接する突出部１３の間隔が非統一に構成される。ここで非統一とは、間隔（距離）が異なることを意味する。具体的には、図３において、突出部１３ａと突出部１３ｂとの距離Ｘは、突出部１３ｂと突出部１３ｃとの距離Ｙよりも短い。このように間隔を非統一とすることで、ガイド部材１２の隣接側面１ａに設けられた後述の係合孔１ｂに対して、所定の方向でのみ嵌め込むことが可能となる。突出部１３ｂは、絞り形状を有し、アーチ形状１５における頂上部に配置される。なお、絞り形状とは、棒形状における軸の先端部が軸よりも大きく構成され、言い換えると先端部が大きく、先端部から軸方向に向かって絞られた形状を指す。突出部１３ａ及び突出部１３ｃは、絞り形状を備えない。
【００３８】
絞り形状を有する突出部１３ｂは、支柱部１４ａと、先端部１４ｂと、切り込み部１４ｃとを備える。なお、絞り形状を有する突起部は、３個以上の突起部のうちの少なくとも１個に設けられる。
【００３９】
支柱部１４ａは、裏面１２ｂに接続し、裏面１２ｂから離れる方向に起立する円柱である。支柱部１４ａは、係合孔１ｂの径とほぼ同一の径を有する。
【００４０】
先端部１４ｂは、支柱部１４ａの先端に支柱部１４ａにおける円の径よりも大きい底面径を有する円錐台形状を有する。先端部１４ｂの円錐台における底面径は、係合孔１ｂの径よりも大きく、円錐台における天面径は、係合孔１ｂの径よりも小さい。
【００４１】
切り込み部１４ｃは、先端部１４ｂの先端から支柱部方向への切り込みとして設けられる。切り込み部１４ｃは、突出部１３ｂを径方向に等分することで、樹脂成形された突出部１３ｂを半径方向から中心に向かって一時的に傾斜させることが可能となる。突出部１３ｂを中心方向に傾斜させることにより、円錐台における底面径を係合孔１ｂの径とほぼ一致する長さかそれ以下の長さにすることが可能となる。
【００４２】
絞り形状を有さない、突出部１３ａ及び突出部１３ｃは、支柱部１６ａと、小突起部１６ｂとを備える。
【００４３】
支柱部１６ａは、裏面１２ｂに接続し、裏面１２ｂから離れる方向に起立する円柱である。支柱部１６ａは、係合孔１ｂの径とほぼ同一の径を有する。
【００４４】
小突起部１６ｂは、支柱部１６ａの先端近傍より支柱部１６ａの起立方向から垂直方向に伸びる突起である。小突起部１６ｂは、支柱部１６ａを係合孔１ｂに挿入し、すなわち貫通した状態においては、係合孔１ｂの外周よりも外側に位置し、抜け方向へのストッパーとして機能する。
【００４５】
以上がガイド部材１２の詳細構造である。
【００４６】
続いて、図１、図５、図６を参照しながらガイド部材１２の取り付け、及びアダプター３と筐体１との接続について説明する。なお図５は、ガイド部材１２が外された状態を示す筐体側面図、図６は、ガイド部材１２が取り付けられた状態を示す筐体側面図である。
【００４７】
図５に示すように、筐体１は、２つの隣接側面１ａにおいて、中央よりも上方、つまり天面側に係合孔１ｂを備える。
【００４８】
係合孔１ｂは、本実施の形態では、突出部１３の数に対応させた位置に３個設けられている。また、係合孔１ｂは、突出部１３と同様、隣接する係合孔１ｂ同士の間隔を、突出部１３の間隔に対応させて非統一に構成されている。この構成により、係合孔１ｂに突出部１３を一致させて嵌め込むことで、図６に示すように、ガイド部材１２を構成する台形状の長辺（下底）、必ず吹出口５の面側の端辺、すなわちアダプター３が配置される面側の端辺と平行に位置することになる。言い換えると、係合孔１ｂは、裏面１２ｂの長辺がアダプター３の端辺に一致して配置可能であるが、裏面１２ｂの短辺（上底）はアダプター３の端辺に一致して配置不能となる。この特殊な形状により、後述の効果を発揮するガイド部材１２の取り付け方向を間違える心配がない。
【００４９】
なお、係合孔１ｂへの突出部１３の嵌め込み時には、前述のアーチ形状１５により、まず、ガイド部材１２の長辺両端部が隣接側面１ａに密着する。その後、中央部に設けられた突出部１３ｂの先端部１４ｂが半径方向から中心に向かって一時的に傾斜することで係合孔１ｂを貫通し、筐体１の内部で傾斜が解消される。これにより、先端部１４ｂの円錐台形状における底辺が、筐体１の内側から隣接側面１ａに係止して突出部１３ｂが係合孔１ｂに固定される。この際、突出部１３ａ及び突出部１３ｃも係合孔１ｂを貫通し、小突起部１６ｂが、筐体１の内側から隣接側面１ａに係止する。これにより、ガイド部材１２が、隣接側面１ａに回転不能に固定される。そして、アーチ形状１５により、ガイド部材１２の長辺両端部には常時隣接側面１ａ方向に付勢されて密着する。この密着により、ガイド部材１２をアダプター３のガイド部３ａ、厳密には凹形状４１に沿って挿入する際に、引っかかることが無くスムーズに挿入することができ、施工性を高めることができる。
【００５０】
また、ガイド部材１２は、台形状を有しており、長辺は、アダプター３が配置される面側の端辺と平行に位置している。つまり、ガイド部材１２は、上方に向かって先細り形状３１になっている。これにより、アダプター３のガイド部３ａにガイド部材１２を挿入する際に、ガイド部３ａにスムーズに挿入され、施工性を高めることができる。
【００５１】
また、ガイド部材１２は、台形状を有しているため、ガイド部材１２がガイド部３ａに挿入されると、アダプター３は先細り形状３１によって筐体１側に引き寄せられる。つまり、アダプター３と筐体１との密着度が増すため、ダクトの荷重が掛かった場合であっても、気密性を確保することができる。
【００５２】
また、ガイド部材１２は、膨出形状１２ｃを有している。つまり、ガイド部材１２がガイド部３ａに挿入されると、アダプター３は、吹出口５の正面視にして左右方向へ引っ張られることになる。これにより、アダプター３と筐体１との左右方向へのぐらつきが発生せず、アダプター３と筐体１との密着度が増し、気密性を高めることができる。
【００５３】
（実施の形態２）
続いて、図７を参照しながら、本実施の形態２に係るガイド部材２８の詳細構造について説明する。なお図７は、実施の形態２に係るガイド部材２８の裏面斜視図である。
【００５４】
ガイド部材２８は、実施の形態１に示したガイド部材１２の変形例である。ガイド部材２８がガイド部材１２と異なる点は、突出部の構成であり、他の部分の構成は共通である。
【００５５】
突出部２９は、裏面１２ｂの長手方向に３個以上備えられる。本実施の形態では、突出部２９は３個、台形状における長手方向に、端部（図７における左側端部）から順に突出部２９ａ、突出部２９ｂ、突出部２９ｃが設けられる。突出部２９は、隣接する突出部２９の間隔が非統一に構成される。突出部２９ａ、突出部２９ｃは、それぞれ支柱部２１と、小突起部２２とを備える。
【００５６】
支柱部２１は、裏面１２ｂに接続し、裏面１２ｂから離れる方向に起立する円柱である。支柱部２１は、係合孔１ｂの径とほぼ同一の径を有する。
【００５７】
小突起部２２は、支柱部２１の先端近傍より支柱部２１の起立方向（図７の紙面方向）に対して垂直方向に伸びる。また、ガイド部材２８の長手方向（図７の左右方向）における両端に備えられた突出部２９ａ、突出部２９ｃの小突起部２２は同一方向、つまりここでは台形状の短辺２３よりも台形状における外周方向に起立する。そして外周方向に起立した小突起部２２は、短辺２３よりも外周方向に突出している。なお、両端部の突出部２９ａ、突出部２９ｃに挟まれた突出部２９ｂの小突起部２４は、小突起部２２とは逆方向に起立する。具体的には、台形状における長辺２５の方向（図７の下方向）に起立する。
【００５８】
突出部２９ｂは、支柱部２１の短辺２３側が、裏面から先端方向に向かうにつれて長辺２５側、すなわち短辺２３とは逆方向に傾斜する傾斜面２６を備える。
【００５９】
以上がガイド部材２８の詳細構造である。
【００６０】
ガイド部材２８を図５に示す隣接側面１ａに接続する際には、まず小突起部２２の先端を係合孔１ｂに差し込む。この際、ガイド部材２８の裏面１２ｂは、隣接側面１ａに対して平行ではなく鋭角を成す。この状態から、裏面１２ｂが隣接側面１ａに対して平行になるように近づけて行くと、突出部２９ａ、突出部２９ｃの支柱部２１が係合孔１ｂに挿入される。この際、突出部２９ｂは傾斜面２６を有するため、突出部２９ｂの短辺２３側の先端部が隣接側面１ａに接触せず、すなわち突出部２９ｂの支柱部２１が曲がることなく、突出部２９ｂの先端部が係合孔１ｂに挿入される。
【００６１】
突出部２９ｂの先端部が係合孔１ｂに挿入されると、突出部２９ｂの小突起部２４が係合孔１ｂの内周面に衝突し、支柱部２１が短辺２３側に曲げられた状態で、小突起部２４が係合孔１ｂを通過する。小突起部２４が係合孔１ｂを通過すると、支柱部２１が曲げ状態から回復し、この状態で突出部２９ｂが係合孔１ｂに完全に挿入される。
【００６２】
小突起部２２と小突起部２４とは互いに逆方向に起立しているため、突出部２９が係合孔１ｂに完全に挿入された後は、小突起部２２及び小突起部２４が返し止めとして機能し、ガイド部材２８の係合孔１ｂからの抜けを防止して強固に固定することができる。
【産業上の利用可能性】
【００６３】
本発明に係る換気装置は、アダプターと筐体とが独立して構成された換気装置において、施工性を改善すると共に、気密性を高めることができるものとして有用である。
【符号の説明】
【００６４】
１    筐体
１ａ    隣接側面
１ｂ    係合孔
２    送風部
３    アダプター
３ａ    ガイド部
４    吸込口
５    吹出口
６    排気風路
７    ケーシング
８    モータ
９    ファン
１０    オリフィス
１１    電装基板ケース
１１ａ    電装基板ベース
１１ｂ    電装基板カバー
１２、２８    ガイド部材
１２ａ    表面
１２ｂ    裏面
１２ｃ    膨出形状
１２ｄ    高さ
１３、１３ａ、１３ｂ、１３ｃ    突出部
１４ａ    支柱部
１４ｂ    先端部
１４ｃ    切り込み部
１５    アーチ形状
１５ａ    高さ
１６ａ    支柱部
１６ｂ    小突起部
１９    アダプタープレート
２０    ダクト接続部
２１    支柱部
２２、２４    小突起部
２３    短辺
２５    長辺
２６    傾斜面
２９、２９ａ、２９ｂ、２９ｃ    突出部
３０    換気装置
３１    先細り形状
４０    簡易上面図
４１    凹形状
【図１】
2019158325.tif 000003
【図２】
2019158325.tif 000004
【図３】
2019158325.tif 000005
【図４】
2019158325.tif 000006
【図５】
2019158325.tif 000007
【図６】
2019158325.tif 000008
【図７】
2019158325.tif 000009
【図８】
2019158325.tif 000010